(57)【要約】【課題】自動車等の車軸の回転を利用して小型発電機を運転し、この小型発電機を電源とすることにより、電池や複雑な配線を必要としないで発光する車両用発光装置の提供。【解決手段】殻体１０、コイル部３１と磁極部３２との相対回転によって発電する小型発電機３０、該小型発電機３０を電源として発光する発光回路板２０、及び、錘４０を備え、殻体１０に窓孔１１を形成し、殻体１０内部の窓孔１１と対応する位置に発光回路板２０を設置し、錘４０を殻体１０の偏心位置に固定し、コイル部３１及び磁極部３２のいずれか一方を殻体１０に取り付けると共に、他方を車両の車軸に固定可能とする。【選択図】図１
0003124070.tif 000002
【実用新案登録請求の範囲】
【請求項１】
殻体、コイル部と磁極部との相対回転によって発電する小型発電機、該小型発電機を電源として発光する発光回路板、及び、錘を備え、前記殻体に窓孔を形成し、前記殻体内部の窓孔と対応する位置に前記発光回路板を設置し、前記錘を前記殻体の偏心位置に固定し、前記コイル部及び磁極部のいずれか一方を前記殻体に取り付けると共に、他方を車両の車軸に固定可能としたことを特徴とする車両用発光装置。
【請求項２】
前記殻体の裏面に固定板を取り付け、該固定板の表面に前記発光回路板を設置し、前記固定板の裏面中心部に前記小型発電機のコイル部を固定すると共に、裏面の偏心位置に前記錘を固定してある請求項１に記載の車両用発光装置。
【請求項３】
前記コイル部は、軸受けの周囲に複数のコイルが配置されて成り、前記磁極部は、ケースと、該ケースの中心に設けた回転軸と、前記ケース内に環状に配置した永久磁石とを備え、前記磁極部の回転軸が前記コイル部の軸受けに回動自在に挿入され、前記小型発電機は前記殻体の裏面側に、前記回転軸が前記殻体の中心と一致するよう設置されている請求項１又は２に記載の車両用発光装置。
【考案の詳細な説明】
【技術分野】
【０００１】
本考案は、自動車、オートバイ等の装飾品として好適な車両用発光装置に関する。
【背景技術】
【０００２】
自動車やオートバイに様々な装飾品を取り付けることにより、持ち主の美観や独自性を表現することが行われている。装飾品の中でも発光するものは、単に装飾機能を有するだけでなく、夜間に運転する際に周囲を注意を引いて、走行の安全性を向上させるという利点がある。
ところが、従来の発光装飾品は、自動車に搭載されているバッテリーや専用の電池を電源として用い、電源と発光装飾品とを接続する複雑な配線も必要であった。
【考案の開示】
【考案が解決しようとする課題】
【０００３】
本考案が解決しようとする課題は、自動車、オートバイ等の車軸の回転を利用して小型発電機を運転し、この小型発電機を電源とすることにより、電池や複雑な配線を必要としないで発光する車両用発光装置を提供することにある。
【課題を解決するための手段】
【０００４】
本考案の車両用発光装置は、殻体、コイル部と磁極部との相対回転によって発電する小型発電機、該小型発電機を電源として発光する発光回路板、及び、錘を備え、前記殻体に窓孔を形成し、前記殻体内部の窓孔と対応する位置に前記発光回路板を設置し、前記錘を前記殻体の偏心位置に固定し、前記コイル部及び磁極部のいずれか一方を前記殻体に取り付けると共に、他方を車両の車軸に固定可能とする。
【０００５】
前記殻体の裏面に固定板を取り付け、該固定板の表面に前記発光回路板を設置し、前記固定板の裏面中心部に前記小型発電機のコイル部を固定すると共に、裏面の偏心位置に前記錘を固定しても良い。
前記コイル部は、軸受けの周囲に複数のコイルが配置されて成り、前記磁極部は、ケースと、該ケースの中心に設けた回転軸と、前記ケース内に環状に配置した永久磁石とを備え、前記磁極部の回転軸が前記コイル部の軸受けに回動自在に挿入され、前記小型発電機は前記殻体の裏面側に、前記回転軸が前記殻体の中心と一致するよう設置されることもある。
【考案の効果】
【０００６】
本考案によれば、車両の美観を高めると共に、夜間走行における安全性を高めることが可能であり、車軸の回転を利用して小型発電機を運転し、小型発電機からの電力により発光させるので、電池や複雑な配線が不要であって、エネルギーを節約することができる。
【考案を実施するための最良の形態】
【０００７】
以下、本考案の実施例を図面に基づいて詳細に説明する。
本考案の車両用発光装置は、図１に示すように、殻体１０、発光回路板２０、小型発電機３０、錘４０を備える。
殻体１０は、表面板とその周縁に一体に設けた側面板とによって、裏面が開口した箱状に形成され、殻体１０の表面板には窓孔１１が形成されている。また、殻体１０の裏面には、発光回路板２０、小型発電機３０及び錘４０の設置に利用する固定板１２がビス等によって取り付けられる。
【０００８】
発光回路板２０には、ＬＥＤ（発光ダイオード又は発光チップ）２１等の発光部材が一つ又は複数搭載されている。また、この発光回路板２０は、発光部材の電源となる小型発電機３０の出力端に接続されている。
そして、図２及び図３に示すように、殻体１０の内部において窓孔１１と対応する位置に発光回路板２０が収納される。発光回路板２０は、ＬＥＤ２１を窓孔１１に向けて固定板１２の表面に取り付けられている。
【０００９】
小型発電機３０及び錘４０は、固定板１２の裏面に設置される。
小型発電機３０は、図１及び図２に示すように、コイル部３１及び磁極部３２を有する。コイル部３１は、中心部に軸受け３１２を設けると共に、その周囲に複数のコイル３１１を放射状に配置して成り、軸受け３１２の中心が殻体１０の中心と一致するよう、固定板１２の裏面に固定される。
磁極部３２は、円筒状のケース３２２と、ケース３２２の中心軸に沿って設けられた回転軸３２３と、ケース３２２内に環状に設置された永久磁石３２１とを有する。
そして、回転軸３２３を軸受け３１２へ回動自在に挿入することにより、コイル部３１と磁極部３２とが相対回転可能に組み立てられる。
【００１０】
錘４０は、略半円形であり、ケース３２２を取り巻くように、即ち、殻体１０の偏心位置において固定板１２に取り付けられる。
このように、発光回路板２０、小型発電機３０及び錘４０は全て固定板１２に取り付けられるので、これら部材を固定板１２に組み込んだ後、固定板１２を殻体１０の裏面に固定することにより、簡単に車両用発光装置を組み立てることができる。
【００１１】
この車両用発光装置を使用する時は、小型発電機３０のケース３２２を自動車、オートバイ等の車軸の端部に接着テープ等を用いて固定する。
車軸が回転すると、殻体１０が錘４０の遠心力によりケース３２２に対して相対的に高速回転するので、コイル部３１と磁極部３２との間に相対的な回転が起こり、小型発電機３０が発電を行う。
この結果、小型発電機３０を電源とする発光回路板２０のＬＥＤ２１が発光し、殻体１０の窓孔１１を通して光を照射する。
【図面の簡単な説明】
【００１２】
【図１】本考案の実施例を示す車両用発光装置の分解斜視図。
【図２】本考案の実施例を示す車両用発光装置の断面図。
【図３】本考案の実施例を示す車両用発光装置の斜視図。
【符号の説明】
【００１３】
１０  殻体
１１  窓孔
１２  固定板
２０  発光回路板
２１  ＬＥＤ
３０  小型発電機
３１  コイル部
３１１  コイル
３１２  軸受け
３２  磁極部
３２１  永久磁石
３２２  ケース
３２３  回転軸
４０  錘
【図１】
0003124070.tif 000003
【図２】
0003124070.tif 000004
【図３】
0003124070.tif 000005